(57)【特許請求の範囲】
【請求項１】
サービスの品質ごとに決定され、かつ、送信パワーの干渉パワー依存性を示す評価関数を保持する保持手段と、
前記評価関数に基づいて、当該無線装置と送信先との間の無線リンク以外の対象無線リンクから当該無線装置が受信する対象干渉パワーによる前記評価関数の偏微分係数を演算し、その演算した偏微分係数を当該無線装置と送信先との間の無線リンクのチャネルゲインで除算することによって評価項目を演算する演算手段と、
前記演算手段によって演算された評価項目を１と比較し、前記評価項目が１よりも小さいとき、無線通信可能であると判定する判定手段と、
前記判定手段が無線通信可能であると判定すると、前記評価関数に基づいて、前記送信先が受けた干渉パワーを用いて送信パワーを更新し、その更新した送信パワーを用いてパケットを送信する送信手段とを備える無線装置。
【請求項２】
前記演算手段は、当該無線装置が複数の対象干渉パワーを受信したとき、前記複数の対象干渉パワーによって前記送信パワーを微分し、その微分した複数の微分値の和を前記評価関数の偏微分係数として演算する、請求項１に記載の無線装置。
【請求項３】
前記保持手段は、複数の通信帯域に対応する複数の評価関数を保持し、
前記演算手段は、前記複数の通信帯域の各々の前記評価関数に基づいて前記評価関数の偏微分係数を演算し、
前記通信手段は、０と１との間の予め定義された定数に最も近い評価項目を有する通信帯域を用いて無線通信を行なう、請求項１に記載の無線装置。
【請求項４】
サービスの品質ごとに決定され、かつ、送信パワーの干渉パワー依存性を示す評価関数を保持する保持手段と、
当該無線装置と送信先との間の無線リンク以外の対象無線リンクから当該無線装置が受信する対象干渉パワーを評価関数に代入した評価値を当該無線装置と送信先との間の無線リンクのチャネルゲインで除算し、その除算結果に１以下の変更可能な定数を乗算することによって送信パワーを演算する第１の処理を行なうとともに、演算した送信パワーで前記対象干渉パワーを除算し、その除算結果に前記評価関数を定義するパラメータを乗算することによって評価項目を演算する第２の処理を行なう演算手段と、
前記演算手段によって演算された評価項目を１と比較し、前記評価項目が１よりも小さいとき、無線通信が可能であると判定する第３の処理を実行する判定手段と、
前記判定手段が無線通信が可能であると判定すると、前記演算された送信パワーでパケットを送信する送信手段とを備える無線装置。
【請求項５】
前記演算手段は、前記変更可能な定数が１になるまで前記第１および第２の処理を繰返し実行し、
前記判定手段は、前記変更可能な定数が１になるまで前記第３の処理を繰返し実行し、
前記送信手段は、１からなる前記変更可能な定数を用いて演算された送信パワーを用いて情報を含むパケットを送信する、請求項４に記載の無線装置。
【請求項６】
前記演算手段は、前記第１の処理を実行することによって複数の無線リンクの複数の送信パワーを演算し、前記複数の送信パワーを用いて前記第２の処理を実行することによって前記評価項目を演算する、請求項４に記載の無線装置。
【請求項７】
相互に無線通信を行なう複数の無線装置を備え、
前記複数の無線装置の各々は、請求項１から請求項６のいずれか１項に記載の無線装置からなる無線通信ネットワーク。
【請求項８】
２次元通信媒体を更に備え、
前記複数の無線装置は、前記２次元通信媒体上に配置され、前記２次元通信媒体を介して相互に無線通信を行なう、請求項７に記載の無線通信ネットワーク。
【発明の詳細な説明】
【技術分野】
【０００１】
この発明は、無線通信を行なう無線装置およびそれを備えた無線通信ネットワークに関するものである。
【背景技術】
【０００２】
一般的に、無線通信ネットワークは、複数の無線装置からなる。そして、無線通信ネットワークにおいては、無線装置Ａ，Ｂが相互に無線通信を行なっている場合、他の無線装置Ｃは、無線通信を行なっている無線装置Ａ，Ｂから干渉を受ける。
【０００３】
従って、他の無線装置Ｃは、無線通信を行なう場合、無線装置Ａ，Ｂによって行なわれている無線通信に与える干渉を最小にするパワーで無線通信を行なう必要がある。つまり、他の無線装置Ｃは、送信パワーを制御して無線通信を行なう必要がある。
【０００４】
このような場合、理論的には、次の方法によって、無線装置Ｃが無線通信を行なうか否かを決定していた（非特許文献１〜４）。無線装置Ｃは、無線通信ネットワークにおける全ての無線リンクの信号対雑音干渉比（ＳＩＮＲ：Ｓｉｇｎａｌ  ｔｏ  Ｉｎｔｅｒｆｅｒｅｎｃｅ  ａｎｄ  Ｎｏｉｓｅ  Ｒａｔｉｏ）と、無線通信ネットワークにおける全ての無線装置のチャネルゲインとからなる要素によって構成される行列を作成する。そして、無線装置Ｃは、その作成した行列の固有値を演算し、その演算した固有値が“１”よりも小さいと判定したときに、無線通信を行なう。
【先行技術文献】
【非特許文献】
【０００５】
【非特許文献１】J. Zander, “Distributed co-channel interference control in cellular radio systems,” IEEE Trans. Veh. Technol., vol. 41, no. 4, pp. 305-311, Aug. 1992.
【非特許文献２】G. Foschini and Z. Miljanic, “A simple distributed autonomous power control algorithm and its convergence,” IEEE Trans. Veh. Technol., vol. 42, no. 4, pp. 641-646, Aug. 1993.
【非特許文献３】T. Holliday, A. Goldsmith, P. Glynn, and N. Bambos, “Distributed power and admission control for time-varying wireless networks,” in Proc. of IEEE Global Telecommunications Conference (Globecom), Dallas, Texas, Nov. 29-Dec. 3, 2004, pp. 768-774.
【非特許文献４】J. Luo, S.  Ulukus, and A. Ephremides, “Standard and quasi-standard stochastic power control algorithms,” IEEE Trans Inform. Theory, vol. 51, no. 7, pp. 2612-2624, July 2005.
【発明の概要】
【発明が解決しようとする課題】
【０００６】
しかし、行列の固有値を計算して無線通信の可否を判定する場合、行列の要素が増加すると、計算が複雑になるという問題がある。あいにく、行列の固有値の計算は、困難である。４組よりも多くの送信機−受信機のペアからなるネットワークに対する一般的な閉じた式は、存在しない。そして、基準の数値的な方法は、例えば、分散逆行列の前提、またはグローバルネットワーク情報の交換のために、非常に複雑である。
【０００７】
そこで、この発明は、かかる問題を解決するためになされたものであり、その目的は、他の無線装置から干渉を受けている場合に無線通信の可否を簡単に判定可能な無線装置を提供することである。
【０００８】
また、この発明の別の目的は、他の無線装置から干渉を受けている場合に無線通信の可否を簡単に判定可能な無線装置を備えた無線通信ネットワークを提供することである。
【課題を解決するための手段】
【０００９】
この発明によれば、無線装置は、保持手段と、演算手段と、判定手段と、送信手段とを備える。保持手段は、サービスの品質ごとに決定され、かつ、送信パワーの干渉パワー依存性を示す評価関数を保持する。演算手段は、評価関数に基づいて、当該無線装置と送信先との間の無線リンク以外の対象無線リンクから当該無線装置が受信する対象干渉パワーによる評価関数の偏微分係数を演算し、その演算した偏微分係数を対象リンクのチャネルゲインによって除算して評価項目を演算する。判定手段は、演算手段によって演算された評価項目を１と比較し、評価項目が１よりも小さいとき、無線通信可能であると判定する。送信手段は、判定手段が無線通信可能であると判定すると、評価関数に基づいて、送信先が受信した干渉パワーを用いて送信パワーを更新し、その更新された送信パワーを用いてパケットを送信する。
【００１０】
好ましくは、演算手段は、当該無線装置が複数の対象干渉パワーを受信したとき、複数の対象干渉パワーによって送信パワーを微分し、その微分した複数の微分値の和を評価関数の偏微分係数として演算する。
【００１１】
好ましくは、保持手段は、複数の通信帯域に対応する複数の評価関数を保持する。演算手段は、複数の通信帯域の各々の評価関数に基づいて、評価関数の偏微分係数を演算する。通信手段は、０と１との間の予め定義された定数に最も近い評価項目を有する通信帯域を用いて無線通信を行なう。
【００１２】
また、この発明によれば、無線装置は、保持手段と、演算手段と、判定手段と、送信手段とを備える。保持手段は、サービスの品質ごとに決定され、かつ、送信パワーの干渉パワー依存性を示す評価関数を保持する。演算手段は、当該無線装置と送信先との間の無線リンク以外の対象無線リンクから当該無線装置が受信する対象干渉パワーを評価関数に代入した評価値を対象無線リンクのチャネルゲインによって除算し、その除算結果に１以下の変更可能な定数を乗算することによって送信パワーを演算する第１の処理を行なうとともに、演算した送信パワーによって対象干渉パワーを除算し、その除算結果に評価関数を定義するパラメータを乗算することによって評価項目を演算する第２の処理を行なう。判定手段は、演算手段によって演算された評価項目を１と比較し、評価項目が１よりも小さいとき、無線通信が可能であると判定する。送信手段は、判定手段が無線通信が可能であると判定すると、演算された送信パワーでパケットを送信する。
【００１３】
好ましくは、演算手段は、変更可能な定数が１になるまで、第１および第２の処理を繰返し実行する。判定手段は、変更可能が定数が１になるまで、第３の処理を繰返し実行する。送信手段は、１からなる変更可能な定数を用いて演算された送信パワーを用いて情報を含むパケットを送信する。
【００１４】
好ましくは、演算手段は、第１の処理を行なうことによって、複数の無線リンクの複数の送信パワーを演算するとともに、複数の送信パワーを用いて第２の処理を行なうことによって評価項目を演算する。
【００１５】
更に、この発明によれば、無線通信ネットワークは、複数の無線装置を備える。複数の無線装置は、相互に無線通信を行なう。そして、複数の無線装置の各々は、請求項１から請求項６のいずれか１項に記載の無線装置からなる。
【００１６】
好ましくは、無線通信ネットワークは、２次元通信媒体を更に備える。複数の無線装置は、２次元通信媒体上に配置され、２次元通信媒体を介して相互に無線通信を行なう。
【発明の効果】
【００１７】
この発明によれば、各無線装置は、無線通信に用いない無線リンクから受信した干渉パワーによる評価関数の偏微分係数を演算し、偏微分係数およびチャネルゲインを用いて評価項目を演算し、その演算した評価項目が１よりも小さいとき、無線通信が可能であると判定する。そして、各無線装置は、無線通信が可能であると判定すると、無線通信を行なう。
【００１８】
従って、この発明によれば、行列の固有値を演算して無線通信が可能であるか否かを判定する場合よりも簡単に無線通信が可能であるか否かを判定できる。
【図面の簡単な説明】
【００１９】
【図１】この発明の実施の形態による無線通信ネットワークの概略図である。
【図２】図１に示す無線装置の実施の形態１における構成図である。
【図３】サービス品質ごとに決定された評価関数の第１の例を示す図である。
【図４】サービス品質ごとに決定された評価関数の第２の例を示す図である。
【図５】サービス品質ごとに決定された評価関数の第３の例を示す図である。
【図６】サービス品質ごとに決定された評価関数の第４の例を示す図である。
【図７】この発明の実施の形態１による無線通信の可否を判定する方法を説明するための図である。
【図８】図１に示す無線通信ネットワークにおける無線通信の方法を説明するためのフローチャートである。
【図９】複数の周波数帯域の概念図である。
【図１０】この発明の実施の形態による他の無線通信ネットワークの概略図である。
【図１１】図１０に示す２次元通信シートの斜視図である。
【図１２】図１１に示す線ＸＩＩ−ＸＩＩ間における２次元通信シートの断面図である。
【図１３】２次元通信シートにおける搬送波の伝搬を示す概念図である。
【図１４】図１に示す無線装置の実施の形態２における構成図である。
【図１５】図１に示す無線通信ネットワークにおける無線通信の方法を説明するための実施の形態２におけるフローチャートである。
【図１６】マルチリンクにおける無線通信の可否を判定する方法を説明するための図である。
【発明を実施するための形態】
【００２０】
本発明の実施の形態について図面を参照しながら詳細に説明する。なお、図中同一または相当部分には同一符号を付してその説明は繰返さない。
【００２１】
図１は、この発明の実施の形態による無線通信ネットワークの概略図である。図１を参照して、無線通信ネットワーク１０は、無線装置１〜５を備える。無線装置１〜５は、無線通信空間に配置される。そして、無線装置１〜５の各々は、他の無線装置が無線通信を行なっている場合に、後述する方法によって、無線通信が可能であるか否かを判定し、無線通信が可能であると判定すると、１つの周波数帯域を用いて無線通信を行なう。
【００２２】
［実施の形態１］
図２は、図１に示す無線装置１の実施の形態１における構成図である。図２を参照して、無線装置１は、アンテナ１１と、送受信手段１２と、通信手段１３と、判定手段１４と、演算手段１５と、保持手段１６とを含む。
【００２３】
アンテナ１１は、無線通信空間を介して他の無線装置からパケットを受信し、その受信したパケットを送受信手段１２へ出力する。
【００２４】
また、アンテナ１１は、送受信手段１２からパケットを受け、その受けたパケットを無線通信空間を介して他の無線装置へ送信する。
【００２５】
送受信手段１２は、アンテナ１１がパケットを受信したときの干渉パワーＩｊを計測し、その計測した干渉パワーＩｊを通信手段１３および演算手段１５へ出力する。この場合、送受信手段１２は、複数の干渉パワーを計測したとき、その計測した複数の干渉パワーを通信手段１３および演算手段１５へ出力する。
【００２６】
また、送受信手段１２は、アンテナ１１からパケットを受ける。そして、送受信手段１２は、そのパケットが送信先における干渉パワーＩを含むとき、その干渉パワーＩをパケットから取り出す。一方、送受信手段１２は、そのパケットが通常のデータを含むとき、そのパケットを通信手段１３へ出力する。
【００２７】
更に、送受信手段１２は、無線通信を行なうときのサービス品質（ＱｏＳ：Ｑｕａｌｉｔｙ  ｏｆ  Ｓｅｒｖｉｃｅ）とパケットとを通信手段１３から受ける。そうすると、送受信手段１２は、サービス品質を含み、かつ、無線通信の可否の判定を要求するための信号Ｄｄｅｍａｎｄを生成し、その生成した信号Ｄｄｅｍａｎｄを判定手段１４へ出力する。
【００２８】
更に、送受信手段１２は、サービス品質のみを通信手段１３から受けると、その受けたＱｏＳを含む信号Ｄｄｅｍａｎｄを生成し、その生成した信号Ｄｄｅｍａｎｄを判定手段１４へ出力する。
【００２９】
更に、送受信手段１２は、無線通信が可能であることを示す信号ＣＯＫを判定手段１４から受けると、サービス品質に対応し、かつ、送信パワーの干渉パワー依存性を示す評価関数を保持手段１６から読み出す。そうすると、送受信手段１２は、評価関数および干渉パワーＩに基づいて、後述する方法によって送信パワーを更新し、その更新した送信パワーによってパケットをアンテナ１１を介して送信する。
【００３０】
通信手段１３は、送受信手段１２からパケットおよび干渉パワーＩｊを受ける。そして、通信手段１３は、干渉パワーＩｊを受けると、その受けた干渉パワーＩｊをデータ部に含むパケットを生成し、その生成したパケットを送受信手段１２へ出力する。
【００３１】
また、通信手段１３は、他の無線装置との間で無線通信を行なうとき、パケットを生成する。そして、通信手段１３は、サービス品質を決定する。その後、通信手段１３は、その決定したサービス品質とパケットとを送受信手段１２へ出力する。
【００３２】
更に、通信手段１３は、サービス品質が変更可能か否かを判定するための要求を判定手段１４から受けると、サービス品質が変更可能か否かを判定する。通信手段１３は、サービス品質が変更可能であると判定したとき、サービス品質を変更し、その変更したサービス品質を送受信手段１２へ出力する。一方、通信手段１３は、サービス品質を変更できないと判定したとき、送受信手段１２へ何も出力しない。
【００３３】
判定手段１４は、信号Ｄｄｅｍａｎｄを送受信手段１２から受ける。そして、判定手段１４は、信号Ｄｄｅｍａｎｄからサービス品質を取り出し、その取り出したサービス品質を演算手段１５へ出力する。
【００３４】
また、判定手段１４は、評価項目｜Ｂ｜を演算手段１５から受け、その受けた評価項目｜Ｂ｜に基づいて、後述する方法によって、無線通信が可能であるか否かを判定する。そして、判定手段１４は、無線通信が可能であると判定したとき、信号ＣＯＫを生成し、その生成した信号ＣＯＫを送受信手段１２へ出力する。一方、判定手段１４は、無線通信が不可能であると判定したとき、サービス品質が変更可能か否かを判定するための要求を通信手段１３へ出力し、送受信手段１２へ何も出力しない。
【００３５】
演算手段１５は、チャネルゲインｈｉｉ，ｈｉｊを予め保持し、送受信手段１２から干渉パワーＩｊを受け、判定手段１４からサービス品質を受ける。チャネルゲインｈｉｉは、リンクｉの送信機とリンクｉの受信機との間のチャネルゲインを表し、チャネルゲインｈｉｊは、リンクｊの送信機とリンクｉの受信機との間のチャネルゲインを表す。
【００３６】
そして、演算手段１５は、サービス品質に対応する評価関数を保持手段１６から読み出し、その読み出した評価関数と干渉パワーＩｊとに基づいて、後述する方法によって、干渉パワーＩｊによる評価関数の偏微分係数Δβｉを演算する。その後、演算手段１５は、その演算した評価関数の偏微分係数Δβｉとチャネルゲインｈｉｉとを用いて後述する方法によって評価項目｜Ｂ｜を演算する。そして、演算手段１５は、その演算した評価項目｜Ｂ｜を判定手段１４へ出力する。
【００３７】
保持手段１６は、サービス品質ごとに決定された評価関数を保持する。そして、保持手段１６は、送受信手段１２または演算手段１５からの要求に応じて、サービス品質に対応する評価関数を送受信手段１２または演算手段１５へ出力する。
【００３８】
なお、図１に示す無線装置２〜５の各々も、図２に示す無線装置１と同じ構成からなる。
【００３９】
図３から図６は、それぞれ、サービス品質ごとに決定された評価関数の第１〜第４の例を示す図である。図３から図６において、縦軸は、送信パワーを表し、横軸は、干渉パワーを表す。
【００４０】
図３を参照して、曲線ｋ１は、例えば、携帯電話機における送信パワーσｉの干渉パワー依存性を示す。送信パワーσｉは、干渉パワーが基準値Ｉｔｈ１よりも小さいとき、干渉パワーに対して一定値を保持する。送信パワーσｉは、干渉パワーが基準値Ｉｔｈ１以上であるとき、干渉パワーの増加に対して下に凸の曲線に従って減少し、ほぼ一定値になる。
【００４１】
携帯電話機は、多くのユーザによって使用されるので、あるユーザが携帯電話機を用いて無線通信を行なうとき、他のユーザが携帯電話機を用いて無線通信を既に行なっている場合が想定される。
【００４２】
このような場合、あるユーザの携帯電話機は、他のユーザの携帯電話機からの干渉を受ける。そして、要求される送信パワーが、干渉パワーが大きくなるに従って大きくなると、各携帯電話機によって要求される送信パワーが更に大きくなり、無線通信を行なうことが困難になる。
【００４３】
そこで、送信パワーσｉは、干渉パワーに対して曲線ｋ１によって示されるように変化することにしたのである。
【００４４】
従って、曲線ｋ１によって示される送信パワーσｉの干渉パワー依存性は、一般的には、多くのユーザが同時に無線通信を行なう場合に使用される。
【００４５】
図４を参照して、曲線ｋ２は、例えば、車両に設置された無線装置における送信パワーσｉの干渉パワー依存性を示す。送信パワーσｉは、上限値σＬｉｍｉｔよりも低いとき、干渉パワーの増加に対して上に凸の曲線に従って増加し、ほぼ一定値になる。
【００４６】
無線装置は、車両に搭載されている場合、情報をできる限り速く送信先へ送信する必要がある。
【００４７】
そこで、干渉パワーが大きくなっても高い送信レートを確保するために、送信パワーσｉを干渉パワーに対して曲線ｋ２によって示されるように増加させることにしたものである。
【００４８】
図５を参照して、曲線ｋ３は、例えば、一定の送信レートでパケットを送信する無線装置における送信パワーσｉの干渉パワー依存性を示す。送信パワーσｉは、干渉パワーが基準値Ｉｔｈ２よりも小さいとき、干渉パワーの増加に対して直線的に増加する。送信パワーσｉは、干渉パワーが基準値Ｉｔｈ２以上であるとき、干渉パワーに対して上に凸の曲線に従って増加する。
【００４９】
干渉パワーが存在する無線通信環境において送信レートを一定に保持するためには、干渉パワーの増加に対して送信パワーを増加させる必要がある。
【００５０】
そこで、干渉パワーが基準値Ｉｔｈ２よりも小さいとき、干渉パワーの増加に対して送信パワーσｉを線形に増加させ、干渉パワーが基準値Ｉｔｈ２以上であるとき、送信パワーσｉの上限値σＬｉｍｉｔを考慮して干渉パワーの増加に対して送信パワーσｉを非線形に増加させることにしたものである。
【００５１】
図６を参照して、曲線ｋ４は、例えば、所定の範囲の送信パワーを使用する無線装置における送信パワーσｉの干渉パワー依存性を示す。送信パワーσｉは、干渉パワーの増加に対して送信パワーσ１から送信パワーσ２までの範囲で変化する。より具体的には、送信パワーσｉは、干渉パワーが基準値Ｉｔｈ３よりも小さいとき、干渉パワーの増加に対して送信パワーσ１から上に凸の曲線に従って増加し、干渉パワーが基準値Ｉｔｈ３から基準値Ｉｔｈ４までの範囲においては、干渉パワーの増加に対してほぼ一定であり、干渉パワーが基準値Ｉｔｈ４以上であるとき、下に凸の曲線に従って送信パワーσ２まで増加する。
【００５２】
送信パワーσｉを所定の範囲に設定する場合、干渉パワーが基準値Ｉｔｈ３から基準値Ｉｔｈ４までの範囲においては、送信パワーσｉを送信パワーσ１と送信パワーσ２との平均値に近い値に設定すればよいが、干渉パワーが基準値Ｉｔｈ３以下の範囲または基準値Ｉｔｈ４以上の範囲においては、干渉パワーの送信パワーσｉへの影響を低減させる必要がある。
【００５３】
そこで、送信パワーσｉを干渉パワーに対して曲線ｋ４によって示されるように増加させることにしたものである。
【００５４】
なお、無線装置１〜５の各々においては、保持手段１６は、多くのユーザが同時に無線通信を行なうというサービス品質に対応付けて曲線ｋ１を保持し、高い送信レートを確保するというサービス品質に対応付けて曲線ｋ２を保持し、一定の送信レートを保持するというサービス品質に対応付けて曲線ｋ３を保持し、所定の範囲の送信パワーを使用するというサービス品質に対応付けて曲線ｋ４を保持する。
【００５５】
パラメータＳＩＮＲは、全体のサービス品質を表す。他のＱｏＳは、例えば、ビットエラーレートである。この実施の形態においては、リンクは、干渉の関数として目標のＳＩＮＲを定義することによって、必要な、または好ましいＱｏＳを表す。実際の目的のためには、リンクは、送信パワーの干渉への依存性を定義する等価な関数を使用する。従って、曲線ｋ１〜ｋ４の各々は、評価関数βｉ（Ｉｉ）を構成する。リンクｉの送信機における送信パワーσｉは、σｉ＝βｉ（Ｉｉ）によって割り当てられる。
【００５６】
図７は、この発明の実施の形態１における無線通信の可否を判定する方法を説明するための図である。
【００５７】
図７を参照して、無線装置２，３が相互に無線通信を行なっている場合に無線装置１が無線装置４と無線通信を行なえるか否かを判定する方法について説明する。
【００５８】
無線装置２は、無線リンクＭＬ１を介して無線装置３との間で無線通信を行なっている。この場合、無線装置１は、無線リンクＭＬ２を介して無線装置２から干渉パワーＩ１を受け、無線リンクＭＬ３を介して無線装置３から干渉パワーＩ２を受ける。また、無線装置４は、無線リンクＭＬ４を介して無線装置３から干渉パワーＩ３を受ける。
【００５９】
そうすると、無線装置１は、無線リンクＭＬ５を介して無線装置４との間で無線通信を開始する場合、次の方法によって無線通信が可能であるか否かを判定する。
【００６０】
無線装置１の送受信手段１２は、アンテナ１１が無線装置２からのパケットを受信したときの受信パワーを干渉パワーＩ１として検出し、その検出した干渉パワーＩ１を演算手段１５へ出力する。
【００６１】
また、無線装置１の送受信手段１２は、アンテナ１１が無線装置３からのパケットを受信したときの受信パワーを干渉パワーＩ２として検出し、その検出した干渉パワーＩ２を演算手段１５へ出力する。
【００６２】
更に、無線装置４の送受信手段１２は、アンテナ１１が無線装置３からのパケットを受信したときの受信パワーを干渉パワーＩ３として検出し、その検出した干渉パワーＩ３を通信手段１３へ出力する。そして、無線装置４の通信手段１３は、干渉パワーＩ３を送受信手段１２から受け、その受けた干渉パワーＩ３を干渉パワーＩとしてデータ部に含み、無線装置１のアドレスＡｄｄｒｅｓｓ１を送信先に含むパケットＰＫＴ１＝［Ａｄｄｒｅｓｓ１／Ｉ］を生成する。その後、無線装置４の通信手段１３は、パケットＰＫＴ１＝［Ａｄｄｒｅｓｓ１／Ｉ］を送受信手段１２へ出力し、送受信手段１２は、パケットＰＫＴ１＝［Ａｄｄｒｅｓｓ１／Ｉ］をアンテナ１１を介して無線装置１へ送信する。
【００６３】
そうすると、無線装置１の送受信手段１２は、アンテナ１１を介してパケットＰＫＴ１＝［Ａｄｄｒｅｓｓ１／Ｉ］を受信し、その受信したパケットＰＫＴ１＝［Ａｄｄｒｅｓｓ１／Ｉ］から干渉パワーＩを取り出す。
【００６４】
一方、無線装置１の通信手段１３は、無線装置４との間で無線通信を開始する場合、サービス品質を決定する。この場合、無線装置１の通信手段１３は、例えば、サービス品質を「一定の送信レートを保持する」に決定する。また、無線装置１の通信手段１３は、無線装置４へ送信すべき情報をデータ部に含み、無線装置４のアドレスＡｄｄｒｅｓｓ４を送信先に含むパケットＰＫＴ２＝［Ａｄｄｒｅｓｓ４／情報］を生成する。そうすると、無線装置１の通信手段１３は、サービス品質＝「一定の送信レートを保持する」およびパケットＰＫＴ２＝［Ａｄｄｒｅｓｓ４／情報］を送受信手段１２へ出力する。
【００６５】
無線装置１の送受信手段１２は、サービス品質＝「一定の送信レートを保持する」およびパケットＰＫＴ２＝［Ａｄｄｒｅｓｓ４／情報］を通信手段１３から受けると、サービス品質＝「一定の送信レートを保持する」を含む信号Ｄｄｅｍａｎｄ（「一定の送信レートを保持する」）を生成し、その生成した信号Ｄｄｅｍａｎｄ（「一定の送信レートを保持する」）を判定手段１４へ出力する。
【００６６】
無線装置１の判定手段１４は、信号Ｄｄｅｍａｎｄ（「一定の送信レートを保持する」）を送受信手段１２から受けると、信号Ｄｄｅｍａｎｄからサービス品質＝「一定の送信レートを保持する」を取り出し、その取り出したサービス品質＝「一定の送信レートを保持する」を演算手段１５へ出力する。
【００６７】
そして、無線装置１の演算手段１５は、干渉パワーＩ１，Ｉ２を送受信手段１２から受け、サービス品質＝「一定の送信レートを保持する」を判定手段１４から受ける。その後、無線装置１の演算手段１５は、サービス品質＝「一定の送信レートを保持する」に対応する評価関数（＝曲線ｋ３）を保持手段１６から読み出す。
【００６８】
そうすると、無線装置１の演算手段１５は、評価関数（＝曲線ｋ３）および送信パワーσ１，σ２に基づいて、次式によって送信パワーσｉに対する評価関数の偏微分係数Δβｉを演算する。
【００６９】
【数１】
0005493226.tif 000002
【００７０】
式（１）において、σｊ＝σ１，σ２である。∂βｉ（Ｉｉ）／∂σｉ＝（∂βｉ（Ｉｉ）／∂Ｉｉ）×（∂Ｉｉ／∂σｉ）＝（∂βｉ（Ｉｉ）／∂Ｉｉ）×ｈｉｊ＝ｈｉｊ×∂βｉ（Ｉｉ）／∂Ｉｉが満たされるので、無線装置の演算手段１５は、式（１）に従って、曲線ｋ３および保持しているチャネルゲインｈｉｊを用いて評価関数の偏微分係数Δβｉを演算できる。
【００７１】
従って、式（１）の評価関数の偏微分係数Δβｉは、無線装置１が無線装置４との間の無線通信に用いる無線リンクＭＬ５以外の無線リンクＭＬ２，ＭＬ３を介して受けた干渉パワーＩ１，Ｉ２の送信パワーσｉへの影響度を表す。
【００７２】
無線装置１の演算手段１５は、式（１）を用いて評価関数の偏微分係数Δβｉを演算するとき、評価関数（＝曲線ｋ３）を干渉パワーＩｊで微分し、Ｉ１を微分結果∂βｉ／∂Ｉｊに代入した微分値∂βｉ／∂Ｉｊ（Ｉｊ＝Ｉ１）と、Ｉ２を微分結果∂βｉ／∂Ｉｊに代入した微分値∂βｉ／∂Ｉｊ（Ｉｊ＝Ｉ２）とを演算する。そして、無線装置１の演算手段１５は、ｈｉｊ×∂βｉ／∂Ｉｊ（Ｉｊ＝Ｉ１）およびｈｉｊ×∂βｉ／∂Ｉｊ（Ｉｊ＝Ｉ２）を演算する。その後、無線装置１の演算手段１５は、ｈｉｊ×∂βｉ／∂Ｉｊ（Ｉｊ＝Ｉ１）とｈｉｊ×∂βｉ／∂Ｉｊ（Ｉｊ＝Ｉ２）との和を演算することによって評価関数の偏微分係数Δβｉを演算する。
【００７３】
無線装置１の演算手段１５は、評価関数の偏微分係数Δβｉを演算した後、その演算した評価関数の偏微分係数Δβｉと、保持しているチャネルゲインｈｉｉとを次式に代入して評価項目｜Ｂ｜を演算する。
【００７４】
【数２】
0005493226.tif 000003
【００７５】
無線装置１の演算手段１５は、その演算した評価項目｜Ｂ｜を判定手段１４へ出力する。
【００７６】
そして、無線装置１の判定手段１４は、評価項目｜Ｂ｜を演算手段１５から受け、その受けた評価項目｜Ｂ｜が１よりも小さいか否かを判定する。
【００７７】
無線装置１の判定手段１４は、評価項目｜Ｂ｜が１よりも小さいと判定したとき、無線通信が可能であることを示す信号ＣＯＫを生成し、その生成した信号ＣＯＫを送受信手段１２へ出力する。
【００７８】
一方、無線装置１の判定手段１４は、評価項目｜Ｂ｜が１以上であると判定したとき、サービス品質が変更可能か否かを判定するための要求を通信手段１３へ出力し、送受信手段１２へ何も出力しない。
【００７９】
このように、判定手段１４は、評価項目｜Ｂ｜が１よりも小さいと判定したとき、無線通信が可能であると判定する。これは、次の理由による。評価項目｜Ｂ｜が１よりも小さくなると、干渉パワーＩｊに対する評価関数の偏微分係数Δβｉが１よりも小さくなる。そして、干渉パワーＩｊに対する評価関数の偏微分係数Δβｉが１よりも小さくなるとき、干渉パワーＩｊの増加による送信パワーσｉの増加割合が１よりも小さくなる。その結果、干渉パワーＩｊの増加に対して、送信パワーσｉの増加割合を干渉パワーＩｊの増加割合よりも小さくして送信パワーσｉを増加させても、送信先がパケットを受信できるとともに、既に無線通信を行なっている無線リンクへの影響度も小さい。一方、干渉パワーＩｊによる評価関数の偏微分係数Δβｉが１以上になると、干渉パワーＩｊの増加による送信パワーσｉの増加割合が１以上になる。その結果、干渉パワーＩｊの増加に対して、送信パワーσｉの増加割合を干渉パワーＩｊの増加割合よりも大きくして送信パワーσｉを増加させないと、送信先がパケットを受信できず、既に無線通信を行なっている無線リンクへの影響度も大きい。従って、評価項目｜Ｂ｜が１よりも小さいと判定したとき、無線通信が可能であると判定することにしたものである。
【００８０】
無線装置１の送受信手段１２は、信号ＣＯＫを判定手段１４から受けると、サービス品質＝「一定の送信レートを保持する」に対応する評価関数（＝曲線ｋ３）を保持手段１６から読み出す。
【００８１】
そして、無線装置１の送受信手段１２は、その読み出した評価関数（＝曲線ｋ３）に基づいて、干渉パワーＩに対応する送信パワーσｉを検出し、その検出した送信パワーσｉを用いてパケットＰＫＴ２＝［Ａｄｄｒｅｓｓ４／情報］を無線装置４へ送信する。
【００８２】
なお、無線装置１の通信手段１３は、サービス品質の変更を判定するための要求を判定手段１４から受けると、サービス品質が変更可能であるか否かを判定する。この場合、無線装置１の通信手段１３は、無線装置１がＱｏＳ＝「一定の送信レートを保持する」と異なる他のサービス品質＝「高い送信レートを保持する」によって通信を行なうことができる場合、サービス品質を変更可能であると判定する。そして、無線装置１の通信手段１３は、他のサービス品質＝「高い送信レートを保持する」を決定し、他のサービス品質を送受信手段１２へ出力する。その後、他のサービス品質を用いて上述した動作が実行される。
【００８３】
このように、送信元である無線装置１は、無線装置４との間の無線通信に用いる無線リンクＭＬ５以外の無線リンクＭＬ２，ＭＬ３を介して受ける全ての干渉パワーＩ１，Ｉ２による評価関数の偏微分係数Δβｉが１よりも小さいとき（即ち、評価項目｜Ｂ｜が１よりも小さいとき）、無線装置４との間の無線通信が可能であると判定する。
【００８４】
その結果、無線装置１は、式（１），（２）に従って評価項目｜Ｂ｜を計算するだけで無線通信が可能であるか否かを判定できるので、従来の行列の固有値を演算して無線通信が可能であるか否かを判定する場合よりも、無線通信が可能であるか否かを簡単に判定できる。
【００８５】
なお、上記においては、送信先である無線装置４が受ける干渉パワーが干渉パワーＩ３だけであるので、干渉パワーＩ＝Ｉ３としたが、無線装置４が複数の無線リンクから複数の干渉パワーを受ける場合、干渉パワーＩは、その複数の干渉パワーの和からなる。
【００８６】
また、上記においては、評価関数として曲線ｋ３を用いた場合について説明したが、評価関数として曲線ｋ１，ｋ２，ｋ４のいずれかを用いた場合も、上述した方法によって、無線通信が可能であるか否かが判定される。
【００８７】
図８は、図１に示す無線通信ネットワーク１０における無線通信の方法を説明するためのフローチャートである。
【００８８】
図８を参照して、一連の動作が開始されると、送信元の無線装置は、希望または必要な信号対雑音干渉比、送信レートおよびビットエラーレート等のサービス品質を決定する（ステップＳ１）。
【００８９】
そして、送信元の無線装置は、その決定したサービス品質に対応する評価関数（曲線ｋ１〜ｋ４のいずれか）を決定する（ステップＳ２）。
【００９０】
その後、送信元の無線装置は、式（１）に従って評価関数の偏微分係数Δβｉを演算し（ステップＳ３）、その演算した評価関数の偏微分係数Δβｉを用いて式（２）に従って評価項目｜Ｂ｜を演算する（ステップＳ４）。
【００９１】
引き続いて、送信元の無線装置は、その演算した評価項目｜Ｂ｜が１よりも小さいか否かを判定する（ステップＳ５）。
【００９２】
ステップＳ５において、評価項目｜Ｂ｜が１以上であると判定されたとき、送信元の無線装置は、サービス品質が変更可能であるか否かを更に判定する（ステップＳ６）。
【００９３】
ステップＳ６において、サービス品質が変更できないと判定されたとき、送信元の無線装置は、ランダムバックオフによって決定された時間だけ待機する（ステップＳ７）。その後、一連の動作は、ステップＳ３へ戻る。
【００９４】
一方、ステップＳ６において、サービス品質が変更可能であると判定されたとき、送信元の無線装置は、他のサービス品質を決定する（ステップＳ８）。そして、一連の動作は、ステップＳ２へ戻る。
【００９５】
一方、ステップＳ５において、評価項目｜Ｂ｜が１よりも小さいと判定されたとき、送信元の無線装置は、送信先における干渉パワーＩを取得する（ステップＳ９）。
【００９６】
そして、送信元の無線装置は、評価関数に基づいて、干渉パワーＩに対応する送信パワーを検出し、その検出した送信パワーを新しい送信パワーとすることによって送信パワーを更新する（ステップＳ１０）。
【００９７】
そうすると、送信元の無線装置は、その更新した送信パワーを用いて無線通信を行なう（ステップＳ１１）。これによって、一連の動作は終了する。
【００９８】
なお、図８に示すフローチャートにおいては、一連の動作は、ステップＳ８の後、ステップＳ２へ戻るようにしてもよい。この場合、ステップＳ２においては、前回決定された評価関数と異なる新しい評価関数が決定される。
【００９９】
このように、送信元の無線装置は、無線通信が可能であると判定すると、評価関数に基づいて、送信先が受ける干渉パワーに対応する送信パワーを決定し、その決定した送信パワーを用いて無線通信を行なう（ステップＳ１０，Ｓ１１参照）。そして、この決定された送信パワーは、上述したように、送信先がパケットを受信できるパワーである。
【０１００】
従って、干渉パワーが存在する無線通信環境においても、無線通信を行なうことができる。
【０１０１】
上記においては、各無線装置１〜５が１つの周波数帯域において無線通信を行なう場合について説明したが、この発明の実施の形態においては、これに限らず、各無線装置１〜５は、複数の周波数帯域から１つの周波数帯域を選択し、その選択した周波数帯域において、図８に示すフローチャートに従って無線通信を行なうようにしてもよい。
【０１０２】
図９は、複数の周波数帯域の概念図である。図９を参照して、周波数の低い方から３個の周波数帯域ＢＷ１〜ＢＷ３が存在する場合を想定する。そして、各周波数帯域ＢＷ１〜ＢＷ３の各々は、少なくとも１つの評価関数が設定されている。従って、無線装置１〜５の各々においては、保持手段１６は、周波数帯域およびサービス品質に対応付けて評価関数を保持している。
【０１０３】
各無線装置１〜５は、３個の周波数帯域ＢＷ１〜ＢＷ３の各々における評価関数に基づいて、上述した方法によって評価項目｜Ｂ｜を演算する。そして、各無線装置１〜５は、｜Ｂ｜＜１を満たす周波数帯域を３個の周波数帯域ＢＷ１〜ＢＷ３から候補帯域として選択する。その後、各無線装置１〜５は、評価項目｜Ｂ｜が最大値（１に近い）または最小値（＝０）である周波数帯域を候補帯域から選択し、その選択した周波数帯域を無線通信に用いる周波数帯域であると決定する。即ち、各無線装置１〜５は、０と１との間の予め定義された定数に最も近い評価項目を有する周波数帯域を選択する。好ましくは、各無線装置１〜５は、０．５の予め定義された定数に最も近い評価項目を有する周波数帯域を選択する。
【０１０４】
そして、各無線装置１〜５は、その決定した周波数帯域を用いて無線通信を行なう。
【０１０５】
図１０は、この発明の実施の形態による他の無線通信ネットワークの概略図である。図１０を参照して、無線通信ネットワーク１０Ａは、図１に示す無線通信ネットワーク１０に２次元通信シート６を追加したものであり、その他は、無線通信ネットワーク１０と同じである。
【０１０６】
２次元通信シート６は、例えば、室内に配置された机の上に配置される。そして、２次元通信シート６は、各無線装置１〜５から放射された電磁波を伝送波として伝送する。
【０１０７】
なお、無線通信ネットワーク１０Ａにおいては、無線装置１〜５は、２次元通信シート６上に配置される。そして、各無線装置１〜５は、上述した方法によって、無線通信が可能であると判定すると、２次元通信シート６を介して無線通信を行なう。また、無線装置１〜５は、２次元通信シート６上に配置される場合、例えば、パーソナルコンピュータの本体部、キーボード、マウス、扇風機およびスピーカ等からなる。
【０１０８】
図１１は、図１０に示す２次元通信シート６の斜視図である。また、図１２は、図１１に示す線ＸＩＩ−ＸＩＩ間における２次元通信シート６の断面図である。
【０１０９】
図１１および図１２を参照して、２次元通信シート６は、誘電体部６１と、導体部６２，６３とを含む。誘電体部６１は、例えば、厚みがほぼ一定であるプラスチックまたは発泡材からなり、シート状の形状を有する。
【０１１０】
導体部６２は、例えば、金属からなり、誘電体部６１の一方の一主面にメッシュ状に形成される。この場合、メッシュ状の導体部６２によって囲まれる開口部６２Ａは、正方形の形状を有し、複数の開口部６２Ａは、２次元通信シート６の外界における電磁波長よりも短い間隔で配置されている。
【０１１１】
導体部６３は、例えば、金属からなり、誘電体部６１の他方の一主面（導体部６２が形成された面と反対面）の全面に形成される。
【０１１２】
メッシュ状の導体部６２は、外界とシート状の誘電体部６１との相互電磁結合を弱める働きをするので、外界と誘電体部６１との電磁結合が十分に弱いと仮定すると、シート状の誘電体部６１の内部では、電磁波は、１／（με）１／２で伝搬する。この場合、μは、誘電体部６１の透磁率であり、εは、誘電体部６１の誘電率である。
【０１１３】
開口部６２Ａは、２次元通信シート６の外界における電磁波長よりも短い間隔で配置されているので、各開口部６２Ａから漏れ出すエバネッセント波も、電磁波長よりも短い空間周期で電磁波位相が変化し、遠方まで伝搬する波動とはならない。
【０１１４】
この場合の減衰係数は、ｅｘｐ（−（ε／ε０−１）１／２（ω／ｃ）ｚ）となる。ここで、ε０は、外界の誘電率であり、ωは、信号の角周波数であり、ｃは、外界における光速であり、ｚは、誘電体部６１の導体部６２が形成された面からの距離である。
【０１１５】
従って、εがそれほど大きくなくても、誘電体部６１の薄い膜厚に対して、エバネッセント波のしみ出し領域を波長程度まで小さくすることができる。
【０１１６】
このように、２次元通信シート６は、電磁波を１／（με）１／２で伝搬させるとともに、その一主面（導体部６２が形成された面）からエバネッセント波をしみ出させる。
【０１１７】
図１３は、２次元通信シート６における搬送波の伝搬を示す概念図である。図１０に示す無線装置１，２が２次元通信シート６上に配置される。
【０１１８】
無線装置１がアンテナ１１から電磁波を送信すると、その送信された電磁波は、２次元通信シート６の開口部６２Ａから誘電体部６１へ入り、誘電体部６１中を矢印ＡＲＷ１の方向へ伝搬する。
【０１１９】
そして、電磁波は、開口部６２Ａから２次元通信シート６の外側へ浸み出し、空間を伝搬する。そうすると、無線装置２のアンテナ１１は、空間を伝搬する電磁波を受信する。
【０１２０】
また、無線装置２がアンテナ１１から電磁波を送信すると、その送信された電磁波は、２次元通信シート６の開口部６２Ａから誘電体部６１へ入り、誘電体部６１中を矢印ＡＲＷ２の方向へ伝搬する。
【０１２１】
そして、電磁波は、開口部６２Ａから２次元通信シート６の外側へ浸み出し、空間を伝搬する。そうすると、無線装置１のアンテナ１１は、空間を伝搬する電磁波を受信する。
【０１２２】
このように、無線装置１と無線装置２との間では、電磁波は、主に２次元通信シート６を介して送受信される。
【０１２３】
無線通信ネットワーク１０Ａにおいては、各無線装置１〜５は、図８に示すフローチャートに従って、２次元通信シート６を介して無線通信を行なう。この場合、各無線装置１〜５から送信された電磁波は、主に、２次元通信シート６中を伝搬するので、情報の機密を保持できる。
【０１２４】
上記においては、サービス品質の具体例としては、「多くのユーザが同時に無線通信を行なう」、「高い送信レートを確保する」、「一定の送信レートを保持する」、および「所定の範囲の送信パワーを使用する」を示したが、この発明の実施の形態においては、これに限らず、これら以外のサービス品質が用いられてもよい。
【０１２５】
また、上記においては、各無線装置１〜５の保持手段１６は、サービス品質に対応付けて４個の評価関数（＝ｋ１〜ｋ４）を保持すると説明したが、この発明の実施の形態においては、これに限らず、各無線装置１〜５の保持手段１６は、少なくとも１つのサービス品質に対応付けられた少なくとも１つの評価関数を保持していればよい。各無線装置１〜５は、少なくとも１つの評価関数を保持していれば、上述した方法によって、無線通信が可能であるか否かを判定できるからである。
【０１２６】
なお、この発明の実施の形態１においては、パケットを送信する送受信手段１２は、「送信手段」を構成する。
【０１２７】
また、この発明の実施の形態１においては、干渉パワーＩ１，Ｉ２は、「対象干渉パワー」を構成する。
【０１２８】
更に、この発明の実施の形態１においては、２次元通信シート６は、「２次元通信媒体」を構成する。
【０１２９】
更に、この発明の実施の形態１においては、無線装置１〜５は、「複数の無線装置」を構成する。
【０１３０】
［実施の形態２］
図１４は、図１に示す無線装置１〜５の実施の形態２における構成図である。実施の形態２においては、無線装置１〜５の各々は、図１４に示す無線装置１Ａからなる。
【０１３１】
図１４を参照して、無線装置１Ａは、図２に示す無線装置１の送受信手段１２、通信手段１３、判定手段１４および演算手段１５をそれぞれ送受信手段１２Ａ、通信手段１３Ａ、判定手段１４Ａおよび演算手段１５Ａに代えたものであり、その他は、無線装置１と同じである。
【０１３２】
送受信手段１２Ａは、アンテナ１１がパケットを受信したときの干渉パワーＩｉを計測し、その計測した干渉パワーＩｉを通信手段１３Ａへ出力する。この場合、複数の干渉パワーを計測したとき、送受信手段１２Ａは、その計測した複数の干渉パワーを通信手段１３Ａへ出力する。
【０１３３】
また、送受信手段１２Ａは、アンテナ１１からパケットを受ける。パケットが送信先における干渉パワーＩｉを含む場合、送受信手段１２Ａは、干渉パワーＩｉをパケットを取り出し、その取り出した干渉パワーＩｉを演算手段１５Ａへ出力する。一方、パケットが通常のデータを含む場合、送受信手段１２Ａは、パケットを通信手段１３Ａへ出力する。
【０１３４】
更に、プローブパケットを通信手段１３Ａから受けると、送受信手段１２Ａは、後述する方法によって、プローブパケットを用いてパケットの送信パワーを決定する。そして、送受信手段１２Ａは、その決定した送信パワーを用いて、情報を含むパケットを送信する。
【０１３５】
その他、送受信手段１２Ａは、送受信手段１２と同じ機能を果たす。
【０１３６】
通信手段１３Ａは、パケットの送信パワーを決定するためのプローブパケットを生成し、その生成したプローブパケットを送受信手段１２Ａへ出力する。
【０１３７】
その他、通信手段１３Ａは、通信手段１３と同じ機能を果たす。
【０１３８】
判定手段１４Ａは、評価項目｜Ｗｉ（ｋ，ｔ）｜を演算手段１５Ａから受け、その受けた評価項目｜Ｗｉ（ｋ，ｔ）｜に基づいて、後述する方法によって、無線通信が可能であるか否かを判定する。そして、無線通信が可能であると判定されたとき、判定手段１４Ａは、信号ＣＯＫを生成して送受信手段１２Ａへ出力する。一方、無線通信が不可能であると判定されたとき、判定手段１４Ａは、送受信手段１２Ａへ何も出力しない。
【０１３９】
その他、判定手段１４Ａは、判定手段１４と同じ機能を果たす。
【０１４０】
演算手段１５Ａは、リンクｉの送信機と受信機との間のチャネルゲインｈｉｉを予め保持する。
【０１４１】
また、演算手段１５Ａは、干渉パワーＩｉを送受信手段１２Ａから受け、サービス品質を判定手段１４Ａから受ける。そして、演算手段１５Ａは、サービス品質に対応する評価関数を保持手段１６から読み出し、その読み出した評価関数と干渉パワーＩｉとに基づいて、評価項目｜Ｗｉ（ｋ，ｔ）｜を演算する。その後、演算手段１５Ａは、その演算した評価項目｜Ｗｉ（ｋ，ｔ）｜を判定手段１４Ａへ出力する。
【０１４２】
その他、演算手段１５Ａは、演算手段１５と同じ機能を果たす。
【０１４３】
実施の形態２においても、図７を参照して、無線装置２（＝１Ａ）および無線装置３（＝１Ａ）が相互に無線通信を行なっているときに、無線装置１（＝１Ａ）が無線装置４（＝１Ａ）との間で無線通信が可能であるか否かを判定する方法について説明する。
【０１４４】
無線装置２（＝１Ａ）は、無線リンクＭＬ１を介して無線装置３（＝１Ａ）と無線通信を行なう。無線装置２，３（＝１Ａ）の各々は、活性なリンクＭＬ１でプローブパケットを送信する。この場合、無線装置１（＝１Ａ）は、無線リンクＭＬ２を介して無線装置２（＝１Ａ）から干渉パワーＩ１を受け、無線リンクＭＬ３を介して無線装置３（＝１Ａ）から干渉パワーＩ２を受ける。無線装置４（＝１Ａ）は、無線リンクＭＬ４を介して無線装置３（＝１Ａ）から干渉パワーＩ３を受ける。
【０１４５】
そして、無線装置４（＝１Ａ）は、無線リンクＭＬ５を介して無線装置１（＝１Ａ）との間で無線通信を開始するとき、以下の方法を用いて無線通信が可能であるか否かを判定する。
【０１４６】
無線装置１（＝１Ａ）の送受信手段１２Ａは、アンテナ１１が無線装置２（＝１Ａ）からプローブパケットを受信したときの受信パワーを干渉パワーＩ１として検出し、その検出した干渉パワーＩ１を通信手段１３Ａへ出力する。
【０１４７】
また、無線装置１（＝１Ａ）の送受信手段１２Ａは、アンテナ１１が無線装置３（＝１Ａ）からプローブパケットを受信したときの受信パワーを干渉パワーＩ２として検出し、その検出した干渉パワーＩ２を通信手段１３Ａへ出力する。
【０１４８】
そして、無線装置１（＝１Ａ）の通信手段１３Ａは、干渉パワーＩ１，Ｉ２を送受信手段１２Ａから受け、その受けた干渉パワーＩ１，Ｉ２をデータ部に含み、無線装置４（＝１Ａ）のアドレスＡｄｄｒｅｓｓ４を送信先に含むパケットＰＫＴ３＝［Ａｄｄｒｅｓｓ４／Ｉ１，Ｉ２］を生成する。その後、無線装置１（＝１Ａ）の通信手段１３Ａは、パケットＰＫＴ３＝［Ａｄｄｒｅｓｓ４／Ｉ１，Ｉ２］を送受信手段１２Ａへ出力し、送受信手段１２Ａは、パケットＰＫＴ３＝［Ａｄｄｒｅｓｓ４／Ｉ１，Ｉ２］をアンテナ１１を介して無線装置４（＝１Ａ）へ送信する。
【０１４９】
そして、無線装置４（＝１Ａ）の送受信手段１２Ａは、アンテナ１１を介してパケットＰＫＴ３＝［Ａｄｄｒｅｓｓ４／Ｉ１，Ｉ２］を受信し、その受信したパケットＰＫＴ３＝［Ａｄｄｒｅｓｓ４／Ｉ１，Ｉ２］から干渉パワーＩ１，Ｉ２を取り出す。無線装置４（＝１Ａ）の送受信手段１２Ａは、その取り出した干渉パワーＩ１，Ｉ２を演算手段１５Ａへ出力する。
【０１５０】
一方、無線装置４（＝１Ａ）の通信手段１３Ａは、無線装置１（＝１Ａ）との通信開始時に、サービス品質を決定する。この場合、無線装置４（＝１Ａ）の通信手段１３Ａは、例えば、「一定の送信レートを保持する」からなるサービス品質を決定する。無線装置４（＝１Ａ）の通信手段１３Ａは、無線装置１（＝１Ａ）へ送信すべき情報をデータ部に含み、無線装置１（＝１Ａ）のアドレスＡｄｄｒｅｓｓ１を送信先に含むパケットＰＫＴ４＝［Ａｄｄｒｅｓｓ１／情報］を生成する。そして、無線装置４（＝１Ａ）の通信手段１３Ａは、サービス品質＝「一定の送信レートを保持する」およびパケットＰＫＴ４＝［Ａｄｄｒｅｓｓ１／情報］を送受信手段１２Ａへ出力する。
【０１５１】
無線装置４（＝１Ａ）の送受信手段１２Ａは、サービス品質＝「一定の送信レートを保持する」およびパケットＰＫＴ４＝［Ａｄｄｒｅｓｓ１／情報］を通信手段１３Ａから受けると、サービス品質＝「一定の送信レートを保持する」を含む信号Ｄｄｅｍａｎｄ（「一定の送信レートを保持する」）を生成し、その生成した信号Ｄｄｅｍａｎｄ（「一定の送信レートを保持する」）を判定手段１４Ａへ出力する。
【０１５２】
無線装置４（＝１Ａ）の判定手段１４Ａは、信号Ｄｄｅｍａｎｄ（「一定の送信レートを保持する」）を送受信手段１２Ａから受けると、信号Ｄｄｅｍａｎｄからサービス品質＝「一定の送信レートを保持する」を取り出し、その取り出したサービス品質＝「一定の送信レートを保持する」を演算手段１５Ａへ出力する。
【０１５３】
そして、無線装置４（＝１Ａ）の演算手段１５Ａは、干渉パワーＩ１，Ｉ２を送受信手段１２Ａから受け、サービス品質＝「一定の送信レートを保持する」を判定手段１４Ａから受ける。その後、無線装置４（＝１Ａ）の演算手段１５Ａは、サービス品質＝「一定の送信レートを保持する」に対応する評価関数βｉ（＝曲線ｋ３）を保持手段１６から読み出す。
【０１５４】
その後、演算手段１５Ａは、干渉パワーＩ１，Ｉ２を次式に代入して干渉パワーＩｉを演算する。
【０１５５】
【数３】
0005493226.tif 000004
【０１５６】
式（３）において、Ｉｉｊ＝Ｉ１，Ｉ２である。また、ｎｉは、加法的受信ノイズ（Additive receiver noise）である。
【０１５７】
そして、無線装置４（＝１Ａ）の演算手段１５Ａは、その読み出した評価関数βｉ（＝曲線ｋ３）に干渉パワーＩｉを代入して評価値βｉ（Ｉｉ）を演算する。
【０１５８】
その後、無線装置４（＝１Ａ）の演算手段１５Ａは、評価値βｉ（Ｉｉ）、チャネルゲインｈｉｉ、および定数パラメータγｉ（０＜γｉ≦１）を次式に代入して送信パワーσｉを演算する。
【０１５９】
【数４】
0005493226.tif 000005
【０１６０】
式（４）において、パラメータａｉ，ｂｉは、リンクｉのサービス品質に関する要求を表すためのリンクｉの評価関数βｉを定義する。
【０１６１】
更に、無線装置４（＝１Ａ）の演算手段１５Ａは、送信パワーσｉ（ｋ−ｔ）、パラメータａｉおよび干渉パワーＩｉ（ｋ）に基づいて、次式を用いて評価項目｜Ｗｉ（ｋ，ｔ）｜を演算する。
【０１６２】
【数５】
0005493226.tif 000006
【０１６３】
式（５）において、ｋは、回数を表し、ｔは、ある遅延（＞０）を表す。
【０１６４】
無線装置４（＝１Ａ）の演算手段１５Ａは、評価項目｜Ｗｉ（ｋ，ｔ）｜を演算すると、その演算した評価項目｜Ｗｉ（ｋ，ｔ）｜を判定手段１４Ａへ出力し、送信パワーσｉおよび定数パラメータγｉを送受信手段１２Ａへ出力する。
【０１６５】
無線装置４（＝１Ａ）の判定手段１４Ａは、評価項目｜Ｗｉ（ｋ，ｔ）｜を演算手段１５Ａから受け、評価項目｜Ｗｉ（ｋ，ｔ）｜が１よりも小さいか否かを判定する。
【０１６６】
無線装置４（＝１Ａ）の判定手段１４Ａは、評価項目｜Ｗｉ（ｋ，ｔ）｜が１よりも小さいと判定したとき、無線通信が可能であることを示す信号ＣＯＫを生成し、その生成した信号ＣＯＫを送受信手段１２Ａへ出力する。
【０１６７】
一方、無線装置４（＝１Ａ）の判定手段１４Ａは、評価項目｜Ｗｉ（ｋ，ｔ）｜が１以上であると判定したとき、送受信手段１２Ａへ何も出力しない。
【０１６８】
無線装置４（＝１Ａ）の送受信手段１２Ａは、信号ＣＯＫを判定手段１４Ａから受け、送信パワーσｉおよび定数パラメータγｉを演算手段１５Ａから受ける。
【０１６９】
無線装置４（＝１Ａ）の送受信手段１２Ａは、送信パワーσｉを受けると、その受けた送信パワーσｉを用いてアンテナ１１を介してプローブパケットを送信する。
【０１７０】
その後、無線装置４（＝１Ａ）の送受信手段１２Ａは、定数パラメータγｉが１であるか否かを判定する。
【０１７１】
無線装置４（＝１Ａ）の送受信手段１２Ａは、定数パラメータγｉが１でないと判定されたとき、信号Ｄｄｅｍａｎｄを生成して判定手段１４Ａへ出力する。
【０１７２】
無線装置４（＝１Ａ）の判定手段１４Ａは、信号Ｄｄｅｍａｎｄの受信に応じて、サービス品質を信号Ｄｄｅｍａｎｄから読み出し、その読み出したサービス品質を演算手段１５Ａへ出力する。
【０１７３】
無線装置４（＝１Ａ）の演算手段１５Ａは、２回目以降にサービス品質を受けると、定数パラメータγｉを大きくし、その大きくした定数パラメータγｉを用いて式（４）に従って送信パワーσｉを演算する。より具体的には、無線装置４（＝１Ａ）の演算手段１５Ａは、ｎ（ｎは２以上の整数）回目にサービス品質を受けると、送信パワーσｉ（ｎ−１）の演算に用いられた定数パラメータγｉ（ｎ−１）よりも大きい定数パラメータγｉ（ｎ）を用いて送信パワーσｉ（ｎ）を演算する。そして、無線装置４（＝１Ａ）の演算手段１５Ａは、送信パワーσｉ（ｎ）を用いて式（５）に従って評価項目｜Ｗｉ（ｋ，ｔ）｜を演算する。その後、無線装置４（＝１Ａ）の演算手段１５Ａは、評価項目｜Ｗｉ（ｋ，ｔ）｜を判定手段１４Ａへ出力し、送信パワーσｉ（ｎ）および定数パラメータγｉ（ｎ）を送受信手段１２Ａへ出力する。
【０１７４】
無線装置４（＝１Ａ）の判定手段１４Ａは、評価項目｜Ｗｉ（ｋ，ｔ）｜を受けると、その受けた評価項目｜Ｗｉ（ｋ，ｔ）｜が１よりも小さいか否かを判定する。無線装置４（＝１Ａ）の判定手段１４Ａは、評価項目｜Ｗｉ（ｋ，ｔ）｜が１よりも小さいと判定されるごとに信号ＣＯＫを生成して送受信手段１２Ａへ出力する。
【０１７５】
無線装置４（＝１Ａ）の送受信手段１２Ａは、定数パラメータγｉ（ｎ）が１であると判定されると、無線装置１（＝１Ａ）へ送信すべき情報を含むパケットを送信パワーσｉ（ｎ）を用いて送信する。
【０１７６】
図１５は、図１に示す無線通信ネットワーク１０における無線通信の方法を説明するための実施の形態２におけるフローチャートである。
【０１７７】
図１５を参照して、一連の動作が開始されると、送信元の無線装置は、希望または必要な信号対雑音干渉比、送信レートおよびビットエラーレート等のサービス品質を決定する（ステップＳ２１）。
【０１７８】
そして、送信元の無線装置は、その決定したサービス品質に対応する評価関数（曲線ｋ１〜ｋ４のいずれか）を決定する（ステップＳ２２）。
【０１７９】
その後、送信元の無線装置は、ｋ＝１を設定し（ステップＳ２３）、リンクｉの受信機における干渉パワーＩｉ（ｋ）を式（３）に従って演算する（ステップＳ２４）。そして、送信元の無線装置は、その演算した干渉パワーＩｉ（ｋ）をを用いて評価値βｉ（Ｉｉ）を演算し、式（４）に従って送信パワーσｉを演算し（ステップＳ２５）、式（５）に従って評価項目｜Ｗｉ（ｋ，ｔ）｜を演算する（ステップＳ２６）。
【０１８０】
そして、送信元の無線装置は、ｋがｋの最大値であるＫｍａｘに等しいか否かを判定する（ステップＳ２７）。
【０１８１】
なお、最大値Ｋｍａｘは、予め決定され、送信元の無線装置は、最大値Ｋｍａｘを予め保持している。
【０１８２】
ステップＳ２７において、ｋが最大値Ｋｍａｘに一致していないと判定されたとき、送信元の無線装置は、ｋ＝ｋ＋１を設定する（ステップＳ２８）。その後、一連の動作は、ステップＳ２４へ戻る。
【０１８３】
一方、ステップＳ２７において、ｋが最大値Ｋｍａｘに等しいと判定されたとき、送信元の無線装置は、演算した評価項目｜Ｗｉ（Ｋｍａｘ，ｔ）｜が１よりも小さいか否かを判定する（ステップＳ２９）。
【０１８４】
ステップＳ２９において、評価項目｜Ｗｉ（Ｋｍａｘ，ｔ）｜が１以上であると判定されたとき、送信元の無線装置は、ランダムバックオフによって決定された時間だけ待機する（ステップＳ３０）。そして、一連の動作は、ステップＳ２３へ戻る。
【０１８５】
一方、ステップＳ２９において、評価項目｜Ｗｉ（Ｋｍａｘ，ｔ）｜が１よりも小さいと判定されたとき、送信元の無線装置は、定数パラメータγｉが１に等しいか否かを更に判定する（ステップＳ３１）。
【０１８６】
ステップＳ３１において、定数パラメータγｉが１に等しくないと判定されたとき、送信元の無線装置は、γｉを大きくする（ステップＳ３２）。そして、一連の動作は、ステップＳ２３へ戻る。
【０１８７】
一方、ステップＳ３１において、定数パラメータγｉが１に等しいと判定されたとき、送信元の無線装置は、その受けた送信パワーσｉによって送信パワーを置き換えることによって送信パワーを更新する（ステップＳ３３）。
【０１８８】
そして、送信元の無線装置は、その更新した送信パワーを用いて無線通信を行なう（ステップＳ３４）。これによって、一連の動作が終了する。
【０１８９】
無線装置１〜３，５（＝１Ａ）の各々も、図１５に示すフローチャートに従って送信先と無線通信を行なう。
【０１９０】
また、無縁装置１〜５（＝１Ａ）の各々は、図１５に示すフローチャートに従って送信パワーを定期的に更新する。
【０１９１】
実施の形態２においては、無線装置１〜５（＝１Ａ）の各々は、次式を用いて評価項目｜Ｗｉ（ｋ，ｔ，ｘ）｜を演算し、評価項目｜Ｗｉ（ｋ，ｔ，ｘ）｜が１よりも小さいか否かを判定することによって送信先と通信可能であるか否かを判定してもよい。
【０１９２】
【数６】
0005493226.tif 000007
【０１９３】
式（６）において、Δσｉ（ｋ，ｘ）＝σｉ（ｋ）−σｉ（ｋ−ｘ）およびΔσｉ（ｋ，ｔ，ｘ）＝σｉ（ｋ−ｔ）−σｉ（ｋ−ｔ−ｘ）が満たされる。また、ｘは、ある遅延である。
【０１９４】
評価項目｜Ｗｉ（ｋ，ｔ，ｘ）｜が用いられる場合、無線装置１〜５（＝１Ａ）の各々は、図１５に示すステップＳ２６において評価項目｜Ｗｉ（ｋ，ｔ，ｘ）｜を演算し、図１５に示すステップＳ２９において評価項目｜Ｗｉ（ｋ，ｔ，ｘ）｜が１よりも小さいか否かを判定する。
【０１９５】
評価項目｜Ｗｉ（ｋ，ｔ，ｘ）｜が用いられる場合も、無線装置１〜５（＝１Ａ）の各々は、図１５に示すフローチャートに従って送信パワーを定期的に更新する。
【０１９６】
更に、実施の形態２においては、無線装置１〜５（＝１Ａ）の各々は、次式を用いて評価項目｜Ｗｉ（ｋ，ｔ）’｜を演算し、評価項目｜Ｗｉ（ｋ，ｔ）’｜が１よりも小さいか否かを判定することによって送信先と通信可能であるか否かを判定してもよい。
【０１９７】
【数７】
0005493226.tif 000008
【０１９８】
式（７）において、ベクトルσｉｍ（ｋ）は、リンクｉの送信パワーと、ｋ回目の更新後におけるｍ（ｍは正の整数）個のリンクの送信パワーとからなる。また、ベクトルＢｉｍは、対応するリンクの値ｂｉ／ｈｉｉからなる。更に、シンボルＴは、転置操作を表す。
【０１９９】
図１６は、マルチリンクにおける無線通信の可否を判定する方法を説明するための図である。図１６を参照して、無線装置１（＝１Ａ）は、それぞれ無線リンクＭＬ２，ＭＬ３，ＭＬ５を介して無線装置２（＝１Ａ）〜４（＝１Ａ）と通信を行なう。
【０２００】
この場合、無線装置１（＝１Ａ）は、無線装置２（＝１Ａ）から送信先における干渉パワーＩ１−２を受け、無線装置３（＝１Ａ）から送信先における干渉パワーＩ１−３を受け、無線装置４（＝１Ａ）から送信先における干渉パワーＩ１−４を受ける。
【０２０１】
無線装置１（＝１Ａ）の送受信手段１２Ａは、干渉パワーＩ１−２，Ｉ１−３，Ｉ１−４を演算手段１５Ａへ出力する。
【０２０２】
無線装置１（＝１Ａ）の演算手段１５Ａは、干渉パワーＩ１−２，Ｉ１−３，Ｉ１−４を送受信手段１２Ａから受け、サービス品質を判定手段１４Ａから受ける。
【０２０３】
そして、無線装置１（＝１Ａ）の演算手段１５Ａは、その受けたサービス品質に対応する評価関数βｉ（＝曲線ｋ３）を保持手段１６から読み出す。
【０２０４】
無線装置１（＝１Ａ）の演算手段１５Ａは、その読み出した評価関数βｉ（＝曲線ｋ３）に干渉パワーＩ１−２を代入することによって評価値βｉ（Ｉ１−２）を演算する。また、無線装置１（＝１Ａ）の演算手段１５Ａは、その読み出した評価関数βｉ（＝曲線ｋ３）に干渉パワーＩ１−３を代入することによって評価値βｉ（Ｉ１−３）を演算する。更に、無線装置１（＝１Ａ）の演算手段１５Ａは、その読み出した評価関数βｉ（＝曲線ｋ３）に干渉パワーＩ１−４を代入することによって評価値βｉ（Ｉ１−４）を演算する。
【０２０５】
その後、無線装置１（＝１Ａ）の演算手段１５Ａは、それぞれ、評価値βｉ（Ｉ１−２），βｉ（Ｉ１−３），βｉ（Ｉ１−４）および無線リンクＭＬ２，ＭＬ３，ＭＬ５におけるチャネルゲインｈ１−２，ｈ１−３，ｈ１−４を式（４）に代入することによって送信パワーσ１−２＝γ１−２βｉ（Ｉ１−２）／ｈ１−２，σ１−３＝γ１−３βｉ（Ｉ１−３）／ｈ１−３，σ１−４＝γ１−４βｉ（Ｉ１−４）／ｈ１−４を演算する。
【０２０６】
また、無線装置１（＝１Ａ）の演算手段１５Ａは、それぞれ無線リンクＭＬ２，ＭＬ３，ＭＬ５におけるチャネルゲインｈ１−２，ｈ１−３，ｈ１−４を用いることによってＢ１−２＝ｂ１−２／ｈ１−２，Ｂ１−３＝ｂ１−３／ｈ１−３，Ｂ１−４＝ｂ１−４／ｈ１−４を演算する。
【０２０７】
従って、無線装置１（＝１Ａ）の演算手段１５Ａは、σｉｍ＝［σ１−２，σ１−３，σ１−４］およびＢｉｍ＝［Ｂ１−２，Ｂ１−３，Ｂ１−４］を式（７）に代入することによって評価項目｜Ｗｉ（ｋ，ｔ）’｜を演算する。
【０２０８】
そして、無線装置１（＝１Ａ）の演算手段１５Ａは、送信パワーσ１−２，σ１−３，σ１−４および定数パラメータγ１−２，γ１−３，γ１−４を送受信手段１２Ａへ出力し、評価項目｜Ｗｉ（ｋ，ｔ）’｜を判定手段１４Ａへ出力する。
【０２０９】
無線装置１（＝１Ａ）の判定手段１４Ａは、評価項目｜Ｗｉ（ｋ，ｔ）’｜を演算手段１５Ａから受け、評価項目｜Ｗｉ（ｋ，ｔ）’｜が１よりも小さいか否かを判定する。
【０２１０】
評価項目｜Ｗｉ（ｋ，ｔ）’｜が１よりも小さいと判定されたとき、無線装置１（＝１Ａ）の判定手段１４Ａは、信号ＣＯＫを生成し、その生成した信号ＣＯＫを送受信手段１２Ａへ出力する。
【０２１１】
無線装置１（＝１Ａ）の送受信手段１２Ａは、信号ＣＯＫを判定手段１４Ａから受け、送信パワーσ１−２，σ１−３，σ１−４および定数パラメータγ１−２，γ１−３，γ１−４を演算手段１５Ａから受ける。そして、無線装置１（＝１Ａ）の送受信手段１２Ａは、送信パワーσ１−２，σ１−３，σ１−４を用いてプローブパケットを送信する。
【０２１２】
その後、無線装置１（＝１Ａ）の送受信手段１２Ａは、定数パラメータγ１−２，γ１−３，γ１−４の全てが１に等しいか否かを判定する。
【０２１３】
定数パラメータγ１−２，γ１−３，γ１−４の全てが１に等しいと判定されたとき、無線装置１（＝１Ａ）の送受信手段１２Ａは、それぞれ、無線装置２，３，４へ送信すべき情報を含むパケットを無線リンクＭＬ２，ＭＬ３，ＭＬ５の送信パワーσ１−２，σ１−３，σ１−４を用いて送信する。
【０２１４】
一方、定数パラメータγ１−２，γ１−３，γ１−４の少なくとも１つが１に等しくないとき、無線装置１（＝１Ａ）の送受信手段１２Ａは、信号Ｄｄｅｍａｎｄを生成し、その生成した信号Ｄｄｅｍａｎｄを判定手段１４Ａへ出力する。
【０２１５】
無線装置１（＝１Ａ）の判定手段１４Ａは、信号Ｄｄｅｍａｎｄの受信に応じて信号Ｄｄｅｍａｎｄからサービス品質を読み出し、その読み出したサービス品質を演算手段１５Ａへ出力する。
【０２１６】
無線装置１（＝１Ａ）の演算手段１５Ａは、サービス品質を２回目以降に受けると、より大きい定数パラメータγ１−２，γ１−３，γ１−４を用いて式（４）に従って送信パワーσ１−２，σ１−３，σ１−４を演算する。より具体的には、無線装置１（＝１Ａ）の演算手段１５Ａは、サービス品質をｎ回目に受けると、それぞれ、送信パワーσ１−２（ｎ−１），σ１−３（ｎ−１），σ１−４（ｎ−１）の演算に用いられた定数パラメータγ１−２（ｎ−１），γ１−３（ｎ−１），γ１−４（ｎ−１）よりも大きい定数パラメータγ１−２（ｎ），γ１−３（ｎ），γ１−４（ｎ）を用いることによって送信パワーσ１−２（ｎ），σ１−３（ｎ），σ１−４（ｎ）を演算する。そして、無線装置１（＝１Ａ）の演算手段１５Ａは、送信パワーσ１−２（ｎ），σ１−３（ｎ），σ１−４（ｎ）を用いて式（７）に従って評価項目｜Ｗｉ（ｋ，ｔ）’｜を演算する。その後、無線装置１（＝１Ａ）の演算手段１５Ａは、評価項目｜Ｗｉ（ｋ，ｔ）’｜を判定手段１４Ａへ出力し、送信パワーσ１−２（ｎ），σ１−３（ｎ），σ１−４（ｎ）および定数パラメータγ１−２（ｎ），γ１−３（ｎ），γ１−４（ｎ）を送受信手段１２Ａへ出力する。
【０２１７】
無線装置１（＝１Ａ）の判定手段１４Ａは、評価項目｜Ｗｉ（ｋ，ｔ）’｜を新たに受けると、その受けた評価項目｜Ｗｉ（ｋ，ｔ）’｜が１よりも小さいか否かを判定する。無線装置１（＝１Ａ）の判定手段１４Ａは、評価項目｜Ｗｉ（ｋ，ｔ）’｜が１よりも小さいと判定するごとに、信号ＣＯＫを生成して送受信手段１２Ａへ出力する。
【０２１８】
無線装置１（＝１Ａ）の送受信手段１２Ａは、定数パラメータγ１−２（ｎ），γ１−３（ｎ），γ１−４（ｎ）の全てが１であるとき、それぞれ、無線装置２，３，４（＝１Ａ）へ送信すべき情報を含むパケットを送信パワーσ１−２（ｎ），σ１−３（ｎ），σ１−４（ｎ）を用いて送信する。
【０２１９】
一方、無線装置１（＝１Ａ）の判定手段１４Ａは、評価項目｜Ｗｉ（ｋ，ｔ）’｜が１以上であると判定されたとき、送受信手段１２Ａへ何も出力しない。この場合、無線装置１（＝１Ａ）は、パケットを送信しない。
【０２２０】
評価項目｜Ｗｉ（ｋ，ｔ）’｜が用いられる場合、無線装置１（＝１Ａ）は、図１５に示すフローチャートに従ってマルチリンクを用いて複数の送信先と通信を行なう。この場合、無線装置１（＝１Ａ）は、ステップＳ２５において評価関数β１−２（Ｉ１−２），β１−３（Ｉ１−３），β１−４（Ｉ１−４）および送信パワーσ１−２（ｎ），σ１−３（ｎ），σ１−４（ｎ）を演算し、ステップＳ２６において評価項目｜Ｗｉ（ｋ，ｔ）’｜を演算する。また、無線装置１（＝１Ａ）は、ステップＳ２９において、評価項目｜Ｗｉ（ｋ，ｔ）’｜が１よりも小さいか否かを判定し、ステップＳ３１において、定数パラメータγ１−２（ｎ），γ１−３（ｎ），γ１−４（ｎ）の全てが１に等しいか否かを判定する。
【０２２１】
無線装置２〜５（＝１Ａ）の各々も、無線装置１（＝１Ａ）と同じ方法を用いて複数の送信先と通信を行なう。
【０２２２】
このように、評価項目｜Ｗｉ（ｋ，ｔ）’｜が用いられる場合も、無線装置１〜５（＝１Ａ）の各々は、図１５に示すフローチャートに従って送信パワーを定期的に更新する。
【０２２３】
上記においては、無線装置１〜５（＝１Ａ）の各々は、３個の無線リンクＭＬ２，ＭＬ３，ＭＬ５からなるマルチリンクを用いて通信を行なうと記載した。しかし、無線装置１〜５（＝１Ａ）の各々が３個の無線リンク以外の複数の無線リンクからなるマルチリンクを用いて通信を行なう場合も、無線装置１〜５（＝１Ａ）の各々は、上述した方法に従って通信を行なう。
【０２２４】
更に、実施の形態２においては、無線装置１〜５（＝１Ａ）の各々は、次式を用いて評価項目｜Ｗｉ（ｋ，ｔ，ｘ）’｜を演算し、評価項目｜Ｗｉ（ｋ，ｔ，ｘ）’｜が１よりも小さいか否かを判定することによって送信先と通信可能であるか否かを判定してもよい。
【０２２５】
【数８】
0005493226.tif 000009
【０２２６】
式（８）において、Δσｉｍ（ｋ，ｘ）＝σｉｍ（ｋ）−σｉｍ（ｋ−ｘ）およびΔσｉｍ（ｋ，ｔ，ｘ）＝σｉｍ（ｋ−ｔ）−σｉｍ（ｋ−ｔ−ｘ）が満たされる。
【０２２７】
評価項目｜Ｗｉ（ｋ，ｔ，ｘ）’｜が用いられる場合、無線装置１〜５（＝１Ａ）の各々は、図１５に示すステップＳ２６において評価項目｜Ｗｉ（ｋ，ｔ，ｘ）’｜を演算し、図１５に示すステップＳ２９において評価項目｜Ｗｉ（ｋ，ｔ，ｘ）’｜が１よりも小さいか否かを判定する。
【０２２８】
従って、評価項目｜Ｗｉ（ｋ，ｔ，ｘ）’｜が用いられる場合も、無線装置１〜５（＝１Ａ）の各々は、図１５に示すフローチャートに従って送信パワーを定期的に更新する。
【０２２９】
更に、実施の形態２においては、無線装置１〜５（＝１Ａ）の各々は、評価項目｜Ｗｉ（ｋ，ｔ）｜，｜Ｗｉ（ｋ，ｔ，ｘ）｜，｜Ｗｉ（ｋ，ｔ）’｜，｜Ｗｉ（ｋ，ｔ，ｘ）’｜の１つが１よりも小さいことを満たすように、パラメータａｉ，ｂｉおよび／または無線通信ネットワーク１０における送信機および／または受信機の位置を変えてもよい。
【０２３０】
その他、実施の形態２は、実施の形態１と同じである。
【０２３１】
実施の形態２によれば、各無線装置は、無線通信に用いられない無線リンクを介して受けた干渉パワーによる評価関数βｉを用いて送信パワーσｉを演算し、送信パワーσｉ、干渉パワーＩｉおよびパラメータａｉを用いて評価項目（＝｜Ｗｉ（ｋ，ｔ）｜，｜Ｗｉ（ｋ，ｔ，ｘ）｜，｜Ｗｉ（ｋ，ｔ）’｜，｜Ｗｉ（ｋ，ｔ，ｘ）’｜の１つ）を演算し、その演算した評価項目が１よりも小さいとき、無線通信が可能であると判定する。そして、無線通信が可能であると判定されたとき、各無線装置は、無線通信を行なう。
【０２３２】
従って、実施の形態２によれば、無線通信が可能であるか否かを判定するために行列の固有値を用いる場合よりも無線通信が可能であるか否かをより容易に判定できる。
【０２３３】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０２３４】
この発明は、他の無線装置から干渉を受けている場合に無線通信の可否を簡単に判定可能な無線装置に適用される。また、この発明は、他の無線装置から干渉を受けている場合に無線通信の可否を簡単に判定可能な無線装置を備えた無線通信ネットワークに適用される。
【符号の説明】
【０２３５】
１〜５，１Ａ  無線装置、６  ２次元通信シート、１０，１０Ａ  無線通信ネットワーク、１１  アンテナ、１２，１２Ａ  送受信手段、１３，１３Ａ  通信手段、１４，１４Ａ  判定手段、１５，１５Ａ  演算手段、１６  保持手段、６１  誘電体部、６２，６３  導体部、６２Ａ  開口部。
【図１】
0005493226.tif 000010
【図２】
0005493226.tif 000011
【図３】
0005493226.tif 000012
【図４】
0005493226.tif 000013
【図５】
0005493226.tif 000014
【図６】
0005493226.tif 000015
【図７】
0005493226.tif 000016
【図８】
0005493226.tif 000017
【図９】
0005493226.tif 000018
【図１０】
0005493226.tif 000019
【図１１】
0005493226.tif 000020
【図１２】
0005493226.tif 000021
【図１３】
0005493226.tif 000022
【図１４】
0005493226.tif 000023
【図１５】
0005493226.tif 000024
【図１６】
0005493226.tif 000025